(57)【要約】      （修正有）【課題】太さの異なる糸を紡ぐための柔軟性に優れたスピンドルを提供する。【解決手段】スピンドルＳを、棒形状をなし先端に繊維を引っ掛けるための引っ掛け部１１を有した軸部材１と、中央部に軸部材を挿通させて止着させるための貫通孔２１を有した円盤状の円盤部材２とを備えたものとし、円盤部材がシリコーン樹脂製のものであり、複数の円盤部材が軸部材に装着されるものとした。所望の太さに対応した回転力を、円盤部材の装着数を調整することによって得ることができる。【選択図】図１
0003188062.tif 000002
【実用新案登録請求の範囲】
【請求項１】
繊維を紡いで糸を生成するために使用されるスピンドルであって、
棒形状をなし先端に前記繊維を引っ掛けるための引っ掛け部を有した軸部材と、中央部に前記軸部材を挿通させて当該軸部材を止着させるための貫通孔を有した円盤状の円盤部材とを備えてなり、
前記円盤部材がシリコーン樹脂製のものであり、複数の前記円盤部材が前記軸部材に装着されることを特徴とするスピンドル。
【請求項２】
前記円盤部材が、着色されたものであり、外周縁部に外方に向けて凸をなす複数の凸状部を備えている請求項１記載のスピンドル。
【請求項３】
前記軸部材の長手方向の寸法が１８ｃｍ〜３５ｃｍの範囲内に設定されており、前記円盤部材の直径が５２ｍｍに設定されている請求項１又は２記載のスピンドル。
【考案の詳細な説明】
【技術分野】
【０００１】
本考案は、毛糸等の繊維を紡いで糸を生成するために使用されるスピンドルに関する。
【背景技術】
【０００２】
従来から、毛糸等の繊維を紡いで糸を生成するために使用されるスピンドルが知られている（例えば非特許文献１参照）。
【０００３】
一般に、スピンドルは、棒形状の軸部材と、この軸部材に一体的に固着された円盤部材とを主体に構成されている。そして、糸を紡ぐ際には、スピンドルを構成する軸部材及び円盤部材が一体的に回転する。
【０００４】
従来、使用者は、生成しようとする糸の太さに対応して、スピンドルそのものを適宜選択する必要があった。つまり、生成する糸が太くなればなるほど、軸部材の回転を維持させるための推進力（馬力）を得るために、円盤部材が一定の重量を備える必要がある。しかして、これまでの使用者は、生成しようとする糸の太さに対応し得る円盤部材の条件を満たしたスピンドルを、複数の中から適宜選定するようにしていた。
【０００５】
ところが、このようなものであると、所望の糸の太さに適合したスピンドルをあらかじめ用意しない限り、所望の糸の太さを得るための作業が困難となってしまうことになる。このため、従来のものは、使用者における太さの異なる糸を紡ぎたいという要望に対して必ずしも柔軟に対応できたものとは言えなかった。
【先行技術文献】
【非特許文献】
【０００６】
”羊毛のある暮らし・・・スピナッツ”、〔online〕、〔平成２５年８月１４日検索〕、インターネット（URL:http://www.spinnuts-shop-kyoto.jp/SHOP/74880/list.html）
【考案の概要】
【考案が解決しようとする課題】
【０００７】
本考案は、このような課題に着目してなされたものであって、主たる目的は、太さの異なる糸を紡ぐための柔軟性に優れたスピンドルを提供することにある。
【課題を解決するための手段】
【０００８】
すなわち、本考案のスピンドルは次の構成をなしている。
【０００９】
請求項１に記載のスピンドルは、繊維を紡いで糸を生成するために使用されるスピンドルであって、棒形状をなし先端に前記繊維を引っ掛けるための引っ掛け部を有した軸部材と、中央部に前記軸部材を挿通させて当該軸部材を止着させるための貫通孔を有した円盤状の円盤部材とを備えてなり、前記円盤部材がシリコーン樹脂製のものであり、複数の前記円盤部材が前記軸部材に装着されるものである。
【００１０】
このようなものであれば、複数の円盤部材が軸部材に装着されるものであるため、所望の太さに対応した回転力を、円盤部材の装着数を調整することによって得ることができるものとなる。すなわち、このスピンドルは、円盤部材の装着数を変えることにより、軸部材の回転に寄与する重量を変更することができるものとなっている。このため、本考案に係るスピンドルであれば、太さの異なる糸を紡ぐための柔軟性に優れたものとなる。
【００１１】
しかも、円盤部材が貫通孔を有したシリコーン樹脂製のものであるため、弾性変形に優れたものとなり、当該貫通孔に軸部材を挿通させて円盤部材を軸部材に止着するための設計の自由度に優れたものとなる。つまり、貫通孔の径を軸部材の径と略同一ないし軸部材の径よりも若干短く設定しておけば、シリコーン樹脂の弾性変形を利用して、円盤部材を軸部材に容易に止着させることができるものとなる。
【００１２】
請求項２に記載のスピンドルは、請求項１に係る構成において、前記円盤部材が、着色されたものであり、外周縁部に外方に向けて凸をなす複数の凸状部を備えているものである。
【００１３】
このようなものであれば、円盤部材を花柄や太陽等に近似させた創作性の高い外観を有したものにすることができ、使用者の快適な使用に寄与し得るとともに個性を表出させた親しみやすいスピンドルを提供することができるものとなる。
【００１４】
請求項３に記載のスピンドルは、請求項１又は２に係る構成において、前記軸部材の長手方向の寸法が１８ｃｍ〜３５ｃｍの範囲内に設定されており、前記円盤部材の直径が５２ｍｍに設定されているものである。
【００１５】
このようなものであれば、軸部材及び円盤部材が比較的コンパクトに形成されたものとなるため、携帯性に優れたものとなる。すなわち、使用者が軸部材と円盤部材とを分離すれば、ポケット等に収納して持ち運びし易いものとなる。したがって、このスピンドルであれば、使用者が気軽に携帯して、いつでもどこでも手軽に糸を紡ぐことができるものとなる。
【考案の効果】
【００１６】
以上説明したように本考案によれば、数パターンの太さの糸を紡ぐための柔軟性に優れたスピンドルを提供することができる。
【図面の簡単な説明】
【００１７】
【図１】本考案の一実施形態を示す斜視図。
【図２】本考案の他の実施形態を示す斜視図。
【図３】本考案のさらに他の実施形態を示す斜視図。
【考案を実施するための形態】
【００１８】
以下、本考案の一実施形態を、図１を参照して説明する。
【００１９】
この実施形態は、本考案を、毛糸等の繊維、特に羊毛を紡いで糸を生成するために使用されるスピンドルＳ（紡錘）に適用したものである。なお、各図では、羊毛や糸を省略している。
【００２０】
スピンドルＳは、棒形状をなし先端に繊維である羊毛（図示せず）を引っ掛けるための引っ掛け部１１を有した軸部材１と、中央部に軸部材１を挿通させて当該軸部材１を止着させるための貫通孔２１を有した円盤状の円盤部材２とを備えてなる。以下、詳述する。
【００２１】
軸部材１は、カギ針とも称されるものである。すなわち、この実施形態では、軸部材１がカギ針をそのまま適用したものとなっている。軸部材１は、棒状をなすものでこの実施形態のものは竹製である。棒部材１における上端部と下端部との間の部位の直径は３．９ｍｍに設定されている。棒部材１は、先端すなわち上端部に鉤形状をなす引っ掛け部１１を備えている。また、棒部材１の下端部は先細り形状、すなわち、下方に向かうに連れて漸次小径になるように形成されている。また、図１に示す軸部材１の長手方向の寸法は、１８ｃｍ〜３５ｃｍの範囲内に設定される。なお、この実施形態では、軸部材１の長手方向の寸法は１８ｃｍに設定されている。
【００２２】
円盤部材２は、平面視において略円形状をなしたシリコーン樹脂製のものである。円盤部材２の直径は５２ｍｍに設定されている。また、円盤部材２の厚み寸法は４ｍｍに設定されている。また、円盤部材２の重量は、約１０ｇに設定されている。円盤部材２は、一定の可撓性を有しつつ、通常の状態では基本的な円盤形状を保持し得るものとなっている。円盤部材２は、中央部に厚み方向に貫通した貫通孔２１を備えている。この貫通孔２１は、軸部材１と係わり合うためのものであり、軸部材１の径よりも若干小径に設定されている。円盤部材２の軸部材１への装着は、軸部材１の下端側を貫通孔２１に挿入し、円盤部材２を軸部材１の上端側に向かって押し込むことにより行われる。軸部材１に対する円盤部材２の位置は、使用者の使用感に基づいて軸部材１の長手方向中央部よりも下端側における所定の位置に定められる。
【００２３】
しかして、スピンドルＳは、軸部材１に任意の枚数の円盤部材２を装着することができるようになっている。換言すれば、スピンドルＳは、複数の円盤部材２が軸部材１に装着されるものとなっている。円盤部材２は、軸部材１に対して着脱自在に構成されており、例えば、使用時にのみ円盤部材２を軸部材１に装着し、不使用時には円盤部材２と軸部材１とを離脱させておき、使用者のポケット等に収納させることができる。
【００２４】
このように、本実施形態に係るスピンドルＳであれば、複数の円盤部材２が軸部材１に装着されるものであるため、所望の太さに対応した回転力を、円盤部材２の装着数を調整することによって得ることができるものとなり、太さの異なる糸を紡ぐための柔軟性に優れたものとなる。
【００２５】
また、この実施形態では、軸部材１がカギ針をそのまま適用したものとなっている。このため、使用者は、スピンドルＳにより羊毛等を紡いで糸を生成するという紡ぎステップと、その後、軸部材１であるカギ針のみを用いて糸を編むという編みステップとを、連続的にスムーズに行うことができるようになっている。つまり、このスピンドルＳは、紡ぎステップと編みステップとを滑らかに連続して行わせることができるものであり、「紡いで編める」という利便性に優れた機能を発揮することができるものとなっている。
【００２６】
本考案は、以上に詳述した実施形態に限られるものではない。
【００２７】
次いで、本考案の他の実施形態について、図２、図３を参照して説明する。なお、当該他の実施形態において、前述した実施形態に係る構成と同一又は相応する構成については同一の符号を付すとともに詳細な説明を省略する。
【００２８】
図２に示すスピンドルＳは、前述した実施形態と比較して、円盤部材２の形状が異なっている。すなわち、円盤部材２が、着色されたものであり、外周縁部に外方に向けて凸をなす複数の凸状部２２を備えている。
【００２９】
円盤部材２は、例えば、ピンク色に着色されている。そして、円盤部材２は、外周縁部に外方に向けて突出した突出部位である凸状部２２を周方向に連続して形成している。換言すれば、円盤部材２は、花柄、或いは、太陽柄に近似した形状に形成されている。なお、円盤部材２は、軸部材１の回転力に寄与するものであるため、凸状部２２の突出形状等は、円盤部材２の重量を著しく低減させないものが好ましい。また、円盤部材２は、回転するものであるため、その形状は、貫通孔２１を中心点とした点対称形状であることが好ましい。円盤部材２における隣接する凸状部２２間には、内方に向かって凹んだ部分が形成されることになる。そして、円盤部材２と軸部材１とを組み付けた状態のスピンドルＳを、例えば机の天板等の水平面に載置すると、円盤部材２の凹んだ部分が水平面に係わり合い、スピンドルＳが水平面に対して転がりにくいものとなる。この実施形態における円盤部材２はシリコーン樹脂製のものであるため、一定のクッション性があり、一層転がりにくいものとなっている。なお、円盤部材２に対する着色は、ピンク色に限らず、任意の色彩にしても良いのはもちろんのことである。
【００３０】
次いで、図３に示すスピンドルＳは、前述した各実施形態と比較して、軸部材１として比較的長尺なものを適用している点が異なっている。すなわち、図３に示すスピンドルＳであれば、大量の糸を紡ぐ場合に好適に使用することができるものとなる。毛糸から紡がれた糸は、円盤部材２よりも上側における軸部材１に巻回されて保持されるようになっているため、図３に示すような比較的長尺な軸部材１を備えているものであれば、大量の糸を紡ぐことができるものとなる。なお、図示例では、３枚の円盤部材２を軸部材１に装着している。円盤部材２は、軸部材１に対して着脱自在であるため、円盤部材２の枚数を変えたり、異なる寸法の軸部材１を採用したりすることによって、さまざまなバリエーションのスピンドルＳを柔軟に構成することができるものとなる。
【００３１】
上述した各実施形態は、あくまで一例であり、本考案は、以上に詳述した実施形態に限られるものではない。
【００３２】
例えば、繊維は、毛糸以外にも植物の繊維であってもよい。
【００３３】
引っ掛け部の形状も、種々の形状のものが考えられ、上述した実施形態に示されたものに限定されるものではない。
【００３４】
軸部材の材質も、竹製以外にも種々の材質のものを適用してよいのはもちろんのことである。
【００３５】
その他、各部の具体的構成についても上記実施形態に限られるものではなく、本考案の趣旨を逸脱しない範囲で種々変形が可能である。
【符号の説明】
【００３６】
Ｓ…スピンドル
１…軸部材
２…円盤部材
１１…引っ掛け部
２１…貫通孔
２２…凸状部
【図１】
0003188062.tif 000003
【図２】
0003188062.tif 000004
【図３】
0003188062.tif 000005